(57)【要約】【課題】増幅器の入出力特性が経時変化や温度変化等により変化してもプリディストーションによる歪補償効果を向上させる。【解決手段】前置歪演算部４６は、増幅器１２からの出力信号中に残留する歪成分のレベルが低減するよう前置歪特性記憶部４８に記憶する前置歪特性を更新する。前置歪補償部１６は、前置歪特性記憶部４８のルックアップテーブルを参照して、増幅器１２への入力信号に前置歪を与える。増幅器特性制御部５０は、現在の前置歪特性と初期状態の前置歪特性との特性差が減少するよう増幅器１２へ供給するゲートバイアス電圧を制御することで増幅器１２の入出力特性を制御する。【選択図】図１
2007129492.tif 000002
【特許請求の範囲】
【請求項１】
入力信号を増幅する増幅器と、
増幅器への入力信号に前置歪を前置歪特性に基づいて与える前置歪補償部と、
増幅器からの出力信号中に残留する歪成分が低減するよう前置歪特性を補正する前置歪制御部と、
を備えるプリディストーション型歪補償増幅器であって、
前置歪制御部で補正された前置歪特性に基づいて増幅器の入出力特性を制御する増幅器特性制御部を備えることを特徴とするプリディストーション型歪補償増幅器。
【請求項２】
請求項１に記載のプリディストーション型歪補償増幅器であって、
増幅器特性制御部は、前置歪制御部で補正された前置歪特性と所定の前置歪特性との特性差が減少するよう増幅器の入出力特性を制御することを特徴とするプリディストーション型歪補償増幅器。
【請求項３】
請求項１または２に記載のプリディストーション型歪補償増幅器であって、
増幅器特性制御部は、前置歪制御部で補正された前置歪特性に基づいて増幅器のバイアス条件を制御することで増幅器の入出力特性を制御することを特徴とするプリディストーション型歪補償増幅器。
【請求項４】
請求項１〜３のいずれか１に記載のプリディストーション型歪補償増幅器であって、
増幅器の出力電流を検出する電流検出部を備え、
増幅器特性制御部は、前置歪制御部で補正された前置歪特性と電流検出部で検出された出力電流とに基づいて増幅器の入出力特性を制御することを特徴とするプリディストーション型歪補償増幅器。
【請求項５】
請求項１または２に記載のプリディストーション型歪補償増幅器であって、
増幅器は、キャリア増幅器とピーク増幅器とを含むドハティ型増幅器であることを特徴とするプリディストーション型歪補償増幅器。
【請求項６】
請求項５に記載のプリディストーション型歪補償増幅器であって、
増幅器特性制御部は、前置歪制御部で補正された前置歪特性に基づいてキャリア増幅器及びピーク増幅器の少なくとも一方のバイアス条件を制御することでドハティ型増幅器の入出力特性を制御することを特徴とするプリディストーション型歪補償増幅器。
【請求項７】
請求項５または６に記載のプリディストーション型歪補償増幅器であって、
キャリア増幅器及びピーク増幅器の少なくとも一方の出力電流を検出する電流検出部を備え、
増幅器特性制御部は、前置歪制御部で補正された前置歪特性と電流検出部で検出された出力電流とに基づいてドハティ型増幅器の入出力特性を制御することを特徴とするプリディストーション型歪補償増幅器。
【発明の詳細な説明】
【技術分野】
【０００１】
本発明は、増幅器への入力信号に前置歪を与えることで歪補償を行うプリディストーション型歪補償増幅器に関する。
【背景技術】
【０００２】
プリディストーション型歪補償増幅器においては、増幅器の非線形特性により増幅器からの出力信号に生じる歪成分を打ち消すためのプリディストーション（前置歪）を増幅器への入力信号に予め与えることで歪補償が行われる。このプリディストーション型歪補償増幅器の関連技術が下記特許文献１に開示されている。特許文献１においては、増幅器からの出力信号の一部を抽出し、この抽出した出力信号に増幅器への入力信号の一部を合成することで、増幅器からの出力信号中に残留している歪成分を抽出する。そして、この抽出した歪成分が低減するように、増幅器への入力信号に与える前置歪を制御している。これによって、増幅器の入出力特性が経時変化や温度変化等により変化しても、歪補償が安定して行われるようにしている。
【０００３】
また、その他の関連技術として、下記特許文献２によるドハティ型増幅器が開示されている。
【０００４】
【特許文献１】特開２００３−１４２９５０号公報
【特許文献２】特開２００２−１２４８４０号公報
【発明の開示】
【発明が解決しようとする課題】
【０００５】
特許文献１等に開示されているプリディストーション型歪補償増幅器において、増幅器からの出力信号に生じる歪成分を打ち消すためには、増幅器への入力信号に与えるプリディストーション（前置歪）の特性を増幅器の入出力特性の逆特性に一致させる必要がある。しかし、増幅器への入力信号に与える前置歪の特性を増幅器の入出力特性の逆特性に正確に一致させることが困難となる場合があり、その場合はプリディストーションによる歪補償効果が低下することになる。一例を挙げて説明すると、キャリア増幅器とピーク増幅器とを有するドハティ型増幅器の入出力特性は、図３に示すようにキャリア増幅器の入出力特性とピーク増幅器の入出力特性とを合成した特性となるが、図５に示すように経時変化や温度変化等によりドハティ型増幅器の入出力特性に変曲点が生じやすくなる。その場合は、図５に示すようにドハティ型増幅器の入出力特性の逆特性にも変曲点が存在することになるが、入力信号に与える前置歪の特性を変曲点が存在する逆特性に精度よく合わせることは困難である。
【０００６】
本発明は、増幅器の入出力特性が経時変化や温度変化等により変化してもプリディストーションによる歪補償効果を向上させることができるプリディストーション型歪補償増幅器を提供することを目的とする。
【課題を解決するための手段】
【０００７】
本発明に係るプリディストーション型歪補償増幅器は、上述の目的を達成するために以下の手段を採った。
【０００８】
本発明に係るプリディストーション型歪補償増幅器は、入力信号を増幅する増幅器と、増幅器への入力信号に前置歪を前置歪特性に基づいて与える前置歪補償部と、増幅器からの出力信号中に残留する歪成分が低減するよう前置歪特性を補正する前置歪制御部と、を備えるプリディストーション型歪補償増幅器であって、前置歪制御部で補正された前置歪特性に基づいて増幅器の入出力特性を制御する増幅器特性制御部を備えることを要旨とする。
【０００９】
本発明の一態様では、増幅器特性制御部は、前置歪制御部で補正された前置歪特性と所定の前置歪特性との特性差が減少するよう増幅器の入出力特性を制御することが好適である。
【００１０】
本発明の一態様では、増幅器特性制御部は、前置歪制御部で補正された前置歪特性に基づいて増幅器のバイアス条件を制御することで増幅器の入出力特性を制御することが好適である。
【００１１】
本発明の一態様では、増幅器の出力電流を検出する電流検出部を備え、増幅器特性制御部は、前置歪制御部で補正された前置歪特性と電流検出部で検出された出力電流とに基づいて増幅器の入出力特性を制御することが好適である。
【００１２】
本発明の一態様では、増幅器は、キャリア増幅器とピーク増幅器とを含むドハティ型増幅器であることが好適である。この態様では、増幅器特性制御部は、前置歪制御部で補正された前置歪特性に基づいてキャリア増幅器及びピーク増幅器の少なくとも一方のバイアス条件を制御することでドハティ型増幅器の入出力特性を制御することが好適である。また、この態様では、キャリア増幅器及びピーク増幅器の少なくとも一方の出力電流を検出する電流検出部を備え、増幅器特性制御部は、前置歪制御部で補正された前置歪特性と電流検出部で検出された出力電流とに基づいてドハティ型増幅器の入出力特性を制御することが好適である。
【発明の効果】
【００１３】
本発明によれば、増幅器からの出力信号中に残留する歪成分が低減するように補正された前置歪特性に基づいて増幅器の入出力特性を制御することで、前置歪特性を増幅器の入出力特性の逆特性に精度よく合わせることができる。したがって、増幅器の入出力特性が経時変化や温度変化等により変化してもプリディストーションによる歪補償効果を向上させることができる。
【発明を実施するための最良の形態】
【００１４】
以下、本発明を実施するための形態（以下実施形態という）を図面に従って説明する。
【００１５】
図１は、本発明の実施形態に係るプリディストーション型歪補償増幅器の構成の概略を示す図である。本実施形態に係るプリディストーション型歪補償増幅器は、増幅器１２からの出力信号に生じる歪成分を打ち消すためのプリディストーション（前置歪）を増幅器１２への入力信号に予め与えることで歪補償を行うものである。
【００１６】
入力端子ＩＮに入力されたディジタル信号（データ系列）である入力信号（ＩＦ信号）は、制御部１４内の前置歪補償部１６に入力される。前置歪補償部１６は、入力端子ＩＮからの入力信号にプリディストーション（前置歪）を与えて出力する。前置歪補償部１６で前置歪が与えられた入力信号（ディジタル信号）は、Ｄ／Ａコンバータ１８を介して制御部１４から出力されることで、アナログ信号に変換されて出力される。なお、前置歪補償部１６で与える前置歪の詳細については後述する。
【００１７】
ミキサ２０は、制御部１４（Ｄ／Ａコンバータ１８）から供給された入力信号に発振器２２から出力された発振信号を混合することで、この入力信号（ＩＦ信号）をＲＦ信号にアップコンバートして出力する。増幅器１２は、ミキサ２０から供給された入力信号（ＲＦ信号）、つまり前置歪が与えられた入力信号を増幅して出力端子ＯＵＴへ出力する。
【００１８】
ここでの増幅器１２は、図２に示すように、キャリア増幅器２４とピーク増幅器２６とを含むドハティ（Ｄｏｈｅｒｔｙ）型増幅器により構成される。キャリア増幅器２４は、例えばＡ級からＡＢ級ないしはＢ級にバイアスされた増幅器であり、ピーク増幅器２６は、例えばＣ級にバイアスされた増幅器である。
【００１９】
ドハティ型増幅器１２の入力端子１２ｉから入力された入力信号は、２つの信号に分割された後、一方はキャリア増幅器２４に入力され、他方は１／４波長線路２８によりπ／２位相差が付けられてピーク増幅器２６に入力される。キャリア増幅器２４からの出力信号は、１／４波長線路３０を通過した後にピーク増幅器２６からの出力信号と合成される。合成された出力信号は、１／４波長線路３２を通過した後にドハティ型増幅器１２の出力端子１２ｏから出力される。
【００２０】
入力端子１２ｉへの瞬時入力電力が小さい場合は、キャリア増幅器２４は入力信号の電力レベルに関わらず増幅を行い出力信号を出力する。一方、ピーク増幅器２６は、瞬時入力電力が小さい場合は、オフ状態すなわち増幅動作を行わず増幅出力も発生しない。そして、ピーク増幅器２６の直流消費電力も０あるいは十分小さいため、ドハティ型増幅器１２全体としての効率も高い。また、入力端子１２ｉへの瞬時入力電力が十分に大きい場合は、ピーク増幅器２６がオン状態となり、ピーク増幅器２６は入力信号を増幅して出力信号を発生する。この場合、キャリア増幅器２４からの出力信号とピーク増幅器２６からの出力信号が合成されることで、より大きい飽和出力を有する増幅器を構成している。
【００２１】
ドハティ型増幅器１２の入出力特性（入力端子１２ｉへの入力信号と出力端子１２ｏからの出力信号との間の特性）は、図３に示すように、キャリア増幅器２４の入出力特性とピーク増幅器２６の入出力特性とを合成した特性となり、非線形特性となる。そのため、入力信号を増幅器１２で増幅する際に歪が発生し、増幅器１２からの出力信号には、増幅された入力信号成分（以下主信号成分とする）の他に歪成分も含まれる。そこで、増幅器１２の非線形特性に起因して生じる歪成分を打ち消すために、前置歪補償部１６で前置歪を増幅器１２への入力信号に予め与えておく。その際には、図４に示すように、前置歪補償部１６で与える前置歪の特性を増幅器１２の入出力特性の逆特性に一致させることで、増幅器１２からの出力信号に生じる歪成分を打ち消すことができる。以下、前置歪補償部１６で増幅器１２への入力信号に与える前置歪を制御するための構成について説明する。
【００２２】
増幅器１２と出力端子ＯＵＴとの間にはカプラ３４が設けられており、増幅器１２からの出力信号の一部がカプラ３４により抽出される。ミキサ３６は、カプラ３４により抽出された出力信号に発振器２２から出力された発振信号を混合することで、この出力信号（ＲＦ信号）をＩＦ信号にダウンコンバートして出力する。ミキサ３６の出力側に設けられたフィルタ３８により、ミキサ３６から出力された信号のうち低周波成分（ＩＦ成分）のみが抽出される。フィルタ３８を通過した後の出力信号（ＩＦ信号）は、Ａ／Ｄコンバータ４０によりアナログ信号からディジタル信号（データ系列）に変換されてから制御部１４内の加算器４２に供給される。また、加算器４２には、前置歪が与えられる前の入力信号も、遅延器４４を通過させてから供給される。加算器４２は、Ａ／Ｄコンバータ４０から供給された出力信号と遅延器４４を介して供給された入力信号とを加算した信号を出力する。加算器４２による加算の際には、Ａ／Ｄコンバータ４０からの出力信号中に含まれる主信号成分と遅延器４４からの入力信号とが互いに打ち消し合うようにカプラ３４の結合度及び遅延器４４の遅延量を設定することで、増幅器１２からの出力信号中に残留している歪成分が抽出されて加算器４２から出力される。
【００２３】
前置歪演算部４６は、加算器４２で抽出された歪成分（以下、抽出歪信号とする）のレベル、すなわち増幅器１２からの出力信号中に残留する歪成分のレベルが低減するように、前置歪特性記憶部４８に記憶する前置歪特性（ルックアップテーブル：ＬＵＴ）を更新する。そして、前置歪補償部１６は、前置歪特性記憶部４８に記憶された前置歪特性を参照して、増幅器１２への入力信号に前置歪を与える。このように、増幅器１２からの出力信号中に残留する歪成分のレベルが低減するよう増幅器１２への入力信号に与える前置歪が補正されることで、経時変化や温度変化等により増幅器１２の入出力特性が変化しても歪補償性能の維持が図られる。
【００２４】
次に、前置歪演算部４６が前置歪特性記憶部４８に記憶する前置歪特性を更新する処理の一例について説明する。本実施形態では、前置歪補償部１６が以下の（１）式で表される前置歪特性に従って増幅器１２への入力信号に前置歪を与えるものとする。
【００２５】
ｙDIST＝（β1＋β3|ｘ|2＋β5|ｘ|4＋・・・）ｘ      （１）
【００２６】
ただし、（１）式において、ｘは前置歪補償部１６への入力信号、ｙDISTは前置歪補償部１６からの出力信号（増幅器１２への入力信号）、β1，β3，β5・・・は係数（以下、歪補償係数とする）である。そして、ｙDIST／ｘ＝（β1＋β3|ｘ|2＋β5|ｘ|4＋・・・）で表される多項式を前置歪生成関数とする。
【００２７】
そして、前置歪特性記憶部４８は、ルックアップテーブル（ＬＵＴ）としてｙDISTの値をｘの値に対応させて記憶する。例えばそれぞれレベルの異なる入力信号ｘ1〜ｘm（ｍは自然数）に対応するｙDISTの値としてｙD1〜ｙDmが前置歪特性記憶部４８に記憶される。ここで、前置歪特性記憶部４８に記憶されるｙDISTの初期特性としては、例えば増幅器１２の入出力特性の設計値に対する逆特性や、実験的に求められた初期状態での増幅器１２の入出力特性に対する逆特性が用いられる。
【００２８】
前置歪演算部４６に入力された入力信号ｘ（データ系列）は、その平均値が０になるようにＤＣオフセットが除去される。そして、前置歪演算部４６は、ＤＣオフセットが除去された入力信号ｘを、フーリエ変換することで周波数領域に変換し、さらに、周波数軸上の右半分を０として逆フーリエ変換することで複素数に変換する。そして、前置歪演算部４６は、複素数に変換された入力信号ｘの絶対値|ｘ|を算出することで、入力信号ｘのレベルを検出する。
【００２９】
また、前置歪演算部４６に入力された抽出歪信号Ｄout（データ系列）は、その平均値が０になるようにＤＣオフセットが除去される。そして、前置歪演算部４６は、ＤＣオフセットが除去された抽出歪信号Ｄoutを、フーリエ変換することで周波数領域に変換し、さらに、周波数軸上の右半分を０として逆フーリエ変換することで複素数に変換する。そして、前置歪演算部４６は、複素数に変換された抽出歪信号Ｄoutを入力信号ｘで直交復調することで、ｙDIST／ｘに相当する値を算出する。
【００３０】
そして、前置歪演算部４６は、抽出歪信号Ｄoutのレベルが最小となるための歪補償係数β1，β3，β5・・・を最小二乗法を用いて算出する。最小二乗法により歪補償係数β1，β3，β5・・・を算出する連立方程式は、以下の（２）式で表される。
【００３１】
【数１】
2007129492.tif 000003
【００３２】
ただし、（２）式において、ｎは入力信号ｘ及び抽出歪信号Ｄoutのサンプル数である。（２）式をβ1，β3，β5・・・について解くと、以下の（３）式が得られる。
【００３３】
【数２】
2007129492.tif 000004
【００３４】
前置歪演算部４６は、（３）式により算出した歪補償係数β1，β3，β5・・・を用いて、入力信号ｘに対するｙDISTの値を（１）から算出し、それにある係数ｋを乗じた更新量で前置歪特性記憶部４８のルックアップテーブル（ｘに対するｙDISTの特性）を更新する。そして、前置歪補償部１６は、入力信号ｘに対応するｙDISTの値を前置歪特性記憶部４８のルックアップテーブルを参照して求めることで入力信号ｘに前置歪を与える。
【００３５】
本実施形態では、前置歪生成関数ｙDIST／ｘを|ｘ|のべき乗の多項式で表す際に、偶数次項のみで構成しているため、最小二乗演算に費やす計算量を減らすことができる。また、最小二乗演算の際における前置歪生成関数ｙDIST／ｘの項数つまり歪補償係数β1，β3，β5・・・の個数については、有限個数（例えば|ｘ|8（β9）まで）で打ち切るものとする。
【００３６】
ドハティ型増幅器１２では、入出力特性に変曲点が生じないように、キャリア増幅器２４及びピーク増幅器２６へのバイアス条件（バイアス電圧）の設計値が設定されている。しかし、経時変化や温度変化等によりドハティ型増幅器１２の入出力特性が変化した場合は、図５に示すように入出力特性に変曲点が生じやすくなる。その場合は、図５に示すようにドハティ型増幅器１２の入出力特性の逆特性にも変曲点が存在することになるが、前置歪特性記憶部４８のルックアップテーブル（ｘに対するｙDISTの特性）を変曲点が存在する逆特性に精度よく合わせることは困難である。したがって、その場合は、プリディストーションによる歪補償効果が低下することになる。
【００３７】
そこで、本実施形態では、ドハティ型増幅器１２の入出力特性の変化による歪補償効果の低下を防止するために、ドハティ型増幅器１２の入出力特性を変曲点が生じない初期状態の入出力特性に近づけるように制御する。そのために、前置歪特性記憶部４８に記憶された（前置歪演算部４６により更新された）ルックアップテーブル（ｘに対するｙDISTの特性）に基づいてドハティ型増幅器１２のバイアス条件を制御する増幅器特性制御部５０が制御部１４内に設けられている。増幅器特性制御部５０から出力される制御信号（ディジタル信号）は、Ｄ／Ａコンバータ５６を介して制御部１４から出力されることで、アナログ信号に変換されてドハティ型増幅器１２に供給される。そして、ドハティ型増幅器１２のバイアス条件が制御されることで、ドハティ型増幅器１２の入出力特性が制御される。
【００３８】
本実施形態では、ドハティ型増幅器１２の入出力特性が変化した場合は、ドハティ型増幅器１２からの出力信号中に残留する歪成分のレベルが低減するように、前置歪特性記憶部４８のルックアップテーブルが前置歪演算部４６により更新される。そのため、前置歪演算部４６によるルックアップテーブルの更新状態を把握することで、ドハティ型増幅器１２の入出力特性の変化を把握することができる。
【００３９】
ドハティ型増幅器１２の現在の入出力特性と初期状態の入出力特性との特性差を検出するために、増幅器特性制御部５０は、前置歪演算部４６により更新された現在のｙDISTの特性とｙDISTの初期特性との特性差（現在の前置歪特性と初期状態の前置歪特性との特性差）を検出する。ここで、それぞれレベルの異なる入力信号ｘ1〜ｘm（ｍは自然数）に対応するｙDISTの初期値（前置歪特性記憶部４８に記憶される初期値）をｙ01〜ｙ0m、入力信号ｘ1〜ｘmに対応するｙDISTの現在の値（前置歪演算部４６による更新後の値）をｙD1〜ｙDmとすると、増幅器特性制御部５０は、例えば以下の（４）式によりｙDISTの現在の特性とｙDISTの初期特性との特性差ΔｙDISTを算出することができる。
【００４０】
ΔｙDIST＝（ｙD1−ｙ01）2＋・・・＋（ｙDm−ｙ0m）2      （４）
【００４１】
そして、増幅器特性制御部５０は、ｙDISTの現在の特性とｙDISTの初期特性との特性差に基づいて、この特性差が設定量以下に減少するようにドハティ型増幅器１２（キャリア増幅器２４及びピーク増幅器２６）へ供給するゲートバイアス電圧を制御することで、キャリア増幅器２４及びピーク増幅器２６の入出力特性を制御する。例えば（４）式により特性差ΔｙDISTを検出する場合は、ΔｙDISTの値が設定量以下に減少する方向にキャリア増幅器２４及びピーク増幅器２６へ供給するゲートバイアス電圧を変化させる。これによって、ドハティ型増幅器１２の入出力特性が変曲点が生じない初期状態の入出力特性に近づくように制御される。そのため、前置歪特性記憶部４８のルックアップテーブル（ｘに対するｙDISTの特性）をドハティ型増幅器１２の入出力特性の逆特性に速やかに且つ精度よく合わせることができる。その結果、ドハティ型増幅器１２の入出力特性が経時変化や温度変化等により変化してもプリディストーションによる歪補償効果を向上させることができる。
【００４２】
さらに、本実施形態では、増幅器特性制御部５０は、ドハティ型増幅器１２の出力電流のフィードバック制御も行う。そのために、ドハティ型増幅器１２の出力電流を検出する電流検出部が設けられている。より具体的には、キャリア増幅器２４及びピーク増幅器２６のドレイン電流（出力電流）をフィードバックするために、キャリア増幅器２４のドレイン電流を検出する電流検出部５２と、ピーク増幅器２６のドレイン電流を検出する電流検出部５４と、が設けられている。電流検出部５２，５４で検出されたドレイン電流は、Ａ／Ｄコンバータ５８によりアナログ信号からディジタル信号（データ系列）に変換されてから制御部１４内の増幅器特性制御部５０に供給される。
【００４３】
そして、増幅器特性制御部５０は、電流検出部５２で検出されたキャリア増幅器２４のドレイン電流（出力電流）及び電流検出部５４で検出されたピーク増幅器２６のドレイン電流（出力電流）がそれぞれ設定された所定範囲内となるように、キャリア増幅器２４及びピーク増幅器２６に供給するゲートバイアス電圧を制御する。ここでの所定範囲としては、ドハティ型増幅器１２の効率が所定値以上の高効率になるときのキャリア増幅器２４及びピーク増幅器２６のドレイン電流の範囲が予め設定される。
【００４４】
このように、本実施形態では、ｙDISTの現在の特性とｙDISTの初期特性との特性差が設定量以下に減少するとともにキャリア増幅器２４及びピーク増幅器２６のドレイン電流が所定範囲内に入るようドハティ型増幅器１２の入出力特性が制御される。したがって、ドハティ型増幅器１２の入出力特性が経時変化や温度変化等により変化してもドハティ型増幅器１２の効率低下を抑止しながらプリディストーションによる歪補償効果を向上させることができる。
【００４５】
以上の本実施形態の説明では、キャリア増幅器２４及びピーク増幅器２６の両方のゲートバイアス電圧（バイアス条件）を制御するものとした。ただし、本実施形態では、キャリア増幅器２４及びピーク増幅器２６のいずれか一方のゲートバイアス電圧を制御することもできる。例えばキャリア増幅器２４及びピーク増幅器２６のうちピーク増幅器２６のみのゲートバイアス電圧を制御することによっても、ドハティ型増幅器１２の入出力特性を変曲点が生じないように制御することができる。
【００４６】
以上の本実施形態の説明では、キャリア増幅器２４及びピーク増幅器２６の両方のドレイン電流（出力電流）を検出してフィードバックするものとした。ただし、本実施形態では、キャリア増幅器２４及びピーク増幅器２６のいずれか一方のドレイン電流を検出してフィードバックすることもできる。例えばキャリア増幅器２４及びピーク増幅器２６のうちピーク増幅器２６のみのドレイン電流を検出してフィードバックすることによっても、ドハティ型増幅器１２の効率低下を抑止することができる。
【００４７】
以上の本実施形態の説明では、増幅器１２がドハティ型増幅器であるものとした。ただし、本実施形態では、増幅器１２がドハティ型増幅器以外の一般的な増幅器であってもよい。
【００４８】
以上、本発明を実施するための形態について説明したが、本発明はこうした実施形態に何等限定されるものではなく、本発明の要旨を逸脱しない範囲内において、種々なる形態で実施し得ることは勿論である。
【図面の簡単な説明】
【００４９】
【図１】実施形態に係るプリディストーション型歪補償増幅器の構成の概略を示す図である。
【図２】ドハティ型増幅器の構成の概略を示す図である。
【図３】ドハティ型増幅器の入出力特性の一例を示す図である。
【図４】増幅器への入力信号に与える前置歪の一例を説明する図である。
【図５】ドハティ型増幅器の入出力特性が変化した場合の一例を示す図である。
【符号の説明】
【００５０】
１２  増幅器、１４  制御部、１６  前置歪補償部、１８，５６  Ｄ／Ａコンバータ、２０，３６  ミキサ、２２  発振器、２４  キャリア増幅器、２６  ピーク増幅器、２８，３０，３２  １／４波長線路、３４  カプラ、３８  フィルタ、４０，５８  Ａ／Ｄコンバータ、４２  加算器、４４  遅延器、４６  前置歪演算部、４８  前置歪特性記憶部、５０  増幅器特性制御部、５２，５４  電流検出部。
【図１】
2007129492.tif 000005
【図２】
2007129492.tif 000006
【図３】
2007129492.tif 000007
【図４】
2007129492.tif 000008
【図５】
2007129492.tif 000009